(57)【要約】【課題】文字盤の組立て作業の容易化を図ると共に、部品を強固に固定でき、衝撃や振動に耐えられる腕時計の文字盤構造を提供することにある。【解決手段】文字盤１１を形成するベースプレート１７に装飾体２３を固定する腕時計の文字盤構造において、ベースプレート１７に貫通孔２２を設け、この貫通孔２２に装飾体２３の外周縁部より小径で、該装飾体２３の外周縁部に接合する押え部２５及び貫通孔２２に嵌合した状態で、該貫通孔２２の内周縁部に係合される係合部２７を有し、ベースプレート１７の表側から貫通孔２２に嵌合される押えリング２４を設け、ベースプレート１７の裏側から貫通孔２２に嵌合された押えリング２４の内周面に弾性的に嵌合され、押えリング２４をベースプレート１７の貫通孔２２に固定する固定リングとしてのＣリング２９を設けたことを特徴とする。【選択図】図３
0003111799.tif 000002
【実用新案登録請求の範囲】
【請求項１】
文字盤を形成するベースプレートに装飾体を固定する腕時計の文字盤構造において、
前記ベースプレートに貫通孔を設け、この貫通孔に前記装飾体の外周縁部より小径で、該装飾体の外周縁部に接合する押え部及び前記貫通孔に嵌合した状態で、該貫通孔の内周縁部に係合される係合部を有し、前記ベースプレートの表側から前記貫通孔に嵌合される押えリングを設け、
前記ベースプレートの裏側から前記貫通孔に嵌合された前記押えリングの内周面に弾性的に嵌合され、該押えリングを前記ベースプレートの貫通孔に固定する固定リングを設けたことを特徴とする腕時計の文字盤構造。
【請求項２】
前記装飾体は、略半球状の白蝶貝またはオパールやオニキス等の宝石類であることを特徴とする請求項１記載の腕時計の文字盤構造。
【請求項３】
前記押えリングの内周面には環状の係合溝が設けられ、前記固定リングは、その外周面に前記係合溝に弾性的に係合する係合凸部を有するＣリングであることを特徴とする請求項１記載の腕時計の文字盤構造。
【考案の詳細な説明】
【技術分野】
【０００１】
この考案は、文字盤を形成するベースプレートに、例えば時刻指標を形成する装飾体を固定する腕時計の文字盤構造に関する。
【背景技術】
【０００２】
腕時計は、着用者に時刻を知らせるのみならず、装飾品の一つであり、腕時計の外観的美観を図ると共に、時刻指標を有する文字盤にまで美観を図るための工夫がなされている。
【０００３】
例えば、文字盤を形成するベースプレートを、生地に白蝶貝プレートを貼り合せた構造としたり、文字盤上に等間隔に配置する時刻指標を白蝶貝等の装飾体とし、白蝶貝の持つ光沢によって高級化を図って商品価値を高めている。
【考案の開示】
【考案が解決しようとする課題】
【０００４】
ところが、白蝶貝は、それ自体が脆弱であり、取り扱いに注意を要する。しかも、腕時計のような小型製品における文字盤を構成する部品は超微細部品となり、この部品を取付けるための取付けスペースも超微細スペースとなる。また、腕時計は、衝撃や振動に耐えられる組立て強度が要求されるため、文字盤を組立てる作業にも細心の注意を要し、特に接着剤を使用することが余儀なくされ、組立て作業に多くの労力を費やしている。
【０００５】
この考案は、前記事情に着目してなされたもので、その目的とするところは、文字盤の組立て作業の容易化を図ると共に、部品を強固に固定でき、衝撃や振動に耐えられる腕時計の文字盤構造を提供することにある。
【課題を解決するための手段】
【０００６】
この考案は、前述した目的を達成するために、請求項１は、文字盤を形成するベースプレートに装飾体を固定する腕時計の文字盤構造において、前記ベースプレートに貫通孔を設け、この貫通孔に前記装飾体の外周縁部より小径で、該装飾体の外周縁部に接合する押え部及び前記貫通孔に嵌合した状態で、該貫通孔の内周縁部に係合される係合部を有し、前記ベースプレートの表側から前記貫通孔に嵌合される押えリングを設け、前記ベースプレートの裏側から前記貫通孔に嵌合された前記押えリングの内周面に弾性的に嵌合され、該押えリングを前記ベースプレートの貫通孔に固定する固定リングを設けたことを特徴とする。
【０００７】
請求項２は、請求項１の装飾体は、前記略半球状の白蝶貝またはオパールやオニキス等の宝石類であることを特徴とする。
【０００８】
請求項３は、請求項１の前記押えリングの内周面には環状の係合溝が設けられ、前記固定リングは、その外周面に前記係合溝に弾性的に係合する係合凸部を有するＣリングであることを特徴とする。
【考案の効果】
【０００９】
この考案によれば、ベースプレートの表側から貫通孔に嵌合される押えリングとベースプレートの裏側から押えリングに弾性的に嵌合される固定リングとによって、文字盤を簡単に組立てできると共に、接着剤を用いることなく、部品を強固に固定でき、衝撃や振動に耐えられる腕時計の文字盤構造を提供できる。
【考案を実施するための最良の形態】
【００１０】
以下、この考案の実施の形態を図面に基づいて説明する。
【００１１】
図１は腕時計の斜視図、図２は文字盤を示し、（ａ）は正面図、（ｂ）は断面図である。図１及び図２に示すように、文字盤１１は円板状に形成され、中心部には同軸二重構造の主軸１２が挿通される中心孔１３が設けられている。主軸１２には短針１４及び長針１５が装着されている。文字盤１１の外周縁には１２個の時刻指標１６が周方向に等間隔に設けられている。１２個の時刻指標１６のうち、０時、６時及び９時の時刻に対応する部分には柱状指標１６ａが、３時の時刻に対応する部分にはカレンダー窓１６ｂが、残りの時刻の部分には球状指標１６ｃが設けられている。
【００１２】
時刻指標１６のうち、球状指標１６ｃの取付け構造について説明すると、図２（ａ）（ｂ）及び図３（ａ）（ｂ）に示すように構成されている。すなわち、文字盤１１を構成するベースプレート１７は、生地１８と、この生地１８の上面に重ねて設けられた装飾プレート１９とからなり、装飾プレート１９は、透明または半透明の白蝶貝プレート２０の下面に裏打ちした白色の塗料膜２１とから形成されている。ベースプレート１７には球状指標１６ｃを取付けるための貫通孔２２が設けられ、この貫通孔２２には時刻指標１６を形成する装飾体２３が取付けられている。装飾体２３は、例えば、略半球状の白蝶貝であり、貫通孔２２は装飾体２３の最大径部２３ａより大径に形成されている。白蝶貝は、ウグイスガイ科の二枚貝で、殻は円盤状で黄褐色、内面は白銀色で真珠光沢が強いという特徴がある。
【００１３】
貫通孔２２には押えリング２４が嵌合されている。押えリング２４は装飾体２３の最大径部２３ａより小径で、最大径部２３ａに接合する押え部２５を内周部に有すると共に、貫通孔２２に嵌合する嵌合筒部２６を有している。さらに、押えリング２４の押え部２５の外周部には貫通孔２２の内周縁部に係合する係合部２７を有し、押えリング２４はベースプレート１７の表側から貫通孔２２に装着されている。また、押えリング２４の嵌合筒部２６の内周面には環状の係合溝２８が形成されている。さらに、押えリング２４の嵌合筒部２６の内部にはベースプレート１７の裏側から弾性的に嵌合される固定リングとしてのＣリング２９が設けられている。Ｃリング２９は外周面には押えリング２４の嵌合筒部２６の内周面に形成した係合溝２８に係合される係合凸部３０が形成されている。なお、押えリング２４の嵌合筒部２６の係合溝２８と係合凸部３０との間に接着剤（図示しない）を塗布することにより、一層強固に固定される。また、Ｃリング２９はその上面で装飾体２３の下面を支持し、押え部２５との間で装飾体２３を挟持している。
【００１４】
一方、前記時刻指標１６のうち、０時に対応する一つの柱状指標１６ａは、図４（ａ）（ｂ）に示すように構成されている。すなわち、金属材料からなる柱状指標本体３１は、横断面がアルファベットの「Ｍ」をなしている。柱状指標本体３１は、文字盤１１の径方向に沿って設けられており、文字盤１１の中心方向に向う端部は、斜め（例えば、α＝１４０°前後）にカットされ、文字盤１１に対して正面視で、アルファベットの「Ｍ」を標示する標示部３２が形成されている。つまり、横断面がアルファベットの「Ｍ」の柱状指標本体３１を斜めにカットすることにより、文字盤１１を正面から見たときアルファベットの「Ｍ」のサイズが大きく標示されるようにしている。
【００１５】
さらに、柱状指標１６ａの標示部３２と対応するベースプレート１７の生地１８の上面には楕円形状の凹陥部３３が形成されている。凹陥部３３と対向する装飾プレート１９には凹陥部３３の形状に倣って塗料膜２１を施さない箇所を設けることにより、装飾プレート１９を透過して表側に凹陥部３３を露出させている。従って、文字盤１１の一部にアルファベットの「Ｍ」を標示する標示部３２が浮き出るようにして文字盤１１の美観を図っている。なお、ベースプレート１７の生地１８の上面に凹陥部３３を形成することによって装飾プレート１９との間に、図４（ｂ）で示すように、空隙部が形成されるが、この空隙部に透明部材を収納することにより、装飾プレート１９の変形、破損を防止できる。
【００１６】
なお、柱状指標本体３１の横断面は、アルファベットの「Ｍ」に限定されるものではなく、「Ａ」「Ｈ」などでもよく、１文字に限らず、２文字以上の組合わせでもよい。また、装飾体２３は、白蝶貝に限定されるものではなく、オパールやオニキス等の宝石類でもよく、形状も限定されるものではない。
【図面の簡単な説明】
【００１７】
【図１】この考案の第１の実施形態の腕時計の斜視図。
【図２】同実施形態の文字盤を示し、（ａ）は正面図、（ｂ）は断面図。
【図３】同実施形態の時刻指標の取付け構造を示し、（ａ）は縦断側面図、（ｂ）はＣリングの斜視図。
【図４】同実施形態の時刻指標を示し、（ａ）は正面図、（ｂ）は縦断側面図。
【符号の説明】
【００１８】
１１…文字盤、１６…時刻指標、１７…ベースプレート、２２…貫通孔、２３…装飾体、２４…押えリング、２５…押え部、２６…嵌合筒部、２７…係合部、２８…係合溝、２９…Ｃリング（固定リング）
【図１】
0003111799.tif 000003
【図２】
0003111799.tif 000004
【図３】
0003111799.tif 000005
【図４】
0003111799.tif 000006